(57)【要約】【課題】  ゴルフクラブが呈する打球の高さを番手間で調和させたゴルフクラブセットを提供する。【解決手段】  ゴルフクラブシャフト１の先端部にゴルフクラブヘッド３を装着した複数本のゴルフクラブを備え、これら複数本のゴルフクラブのロフト角度θが番手毎に異なるゴルフクラブセットにおいて、複数本のゴルフクラブのうち、少なくとも３本のゴルフクラブについて、各ゴルフクラブを構成するゴルフクラブシャフト１の後端部を一定位置にて固定した状態で先端部を振動させて測定した単位時間当たりの振動数ｆ１と、該ゴルフクラブシャフト１の後端部を前記一定位置とは異なった位置にて固定した状態で先端部を振動させて測定した単位時間当たりの振動数ｆ２との比率の大きさを、ゴルフクラブの番手の順序に関連付けて設定し、好ましくはゴルフクラブの番手の順序に対応して略線形的に変化させる。【選択図】  図１
2006174887.tif 000002
【特許請求の範囲】
【請求項１】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブを構成するゴルフクラブシャフトの後端部を一定位置にて固定した状態で先端部を振動させて測定した単位時間当たりの振動数と、該ゴルフクラブシャフトの後端部を前記一定位置とは異なった位置にて固定した状態で先端部を振動させて測定した単位時間当たりの振動数との比率の大きさを、ゴルフクラブの番手の順序に関連付けて設定したゴルフクラブセット。
【請求項２】
前記振動数の比率の大きさを、ゴルフクラブの番手の順序に対応して略線形的に変化させた請求項１に記載のゴルフクラブセット。
【請求項３】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含み、この群の全てのゴルフクラブをロフト角度が最小の番手から順番に１から始まる連続する自然数Ｘで表し、かつ各ゴルフクラブを構成するゴルフクラブシャフトの後端部を一定位置にて固定した状態で先端部を振動させて測定した単位時間当たりの振動数を分子とし、該ゴルフクラブシャフトの後端部を前記一定位置とは異なる位置にて固定した状態で先端部を振動させて測定した単位時間当たりの振動数を分母とする振動数の比率をＹとしたとき、この群の全てのゴルフクラブについて、前記自然数Ｘに対する前記振動数の比率Ｙの分布を回帰直線で回帰した際、該回帰直線に対する推定誤差が０．００５以下となるように前記振動数の比率Ｙを設定したゴルフクラブセット。
【請求項４】
前記自然数Ｘに対する前記振動数の比率Ｙの回帰直線の傾きが０．００２４以下である請求項３に記載のゴルフクラブセット。
【請求項５】
前記自然数Ｘに対する前記振動数の比率Ｙの回帰直線の傾きが０．００２４以上である請求項３に記載のゴルフクラブセット。
【請求項６】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブを構成するゴルフクラブシャフトの後端部を一定位置にて固定した状態で先端部を振動させて測定した単位時間当たりの振動数と、該ゴルフクラブシャフトの後端部を前記一定位置とは異なった位置にて固定した状態で先端部を振動させて測定した単位時間当たりの振動数との比率の大きさを、ロフト角度の大きさの順序に関連付けて設定したゴルフクラブセット。
【請求項７】
前記振動数の比率の大きさを、ロフト角度の大きさの順序に対応して略線形的に変化させた請求項６に記載のゴルフクラブセット。
【請求項８】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含み、この群のゴルフクラブのロフト角度をθ（度）とし、かつ各ゴルフクラブを構成するゴルフクラブシャフトの後端部を一定位置にて固定した状態で先端部を振動させて測定した単位時間当たりの振動数を分子とし、該ゴルフクラブシャフトの後端部を前記一定位置とは異なった位置にて固定した状態で先端部を振動させて測定した単位時間当たりの振動数を分母とする振動数の比率をＹとしたとき、この群の全てのゴルフクラブについて、前記ロフト角度θに対する前記振動数の比率Ｙの分布を回帰直線で回帰した際、該回帰直線に対する推定誤差が０．００５以下となるように前記振動数の比率Ｙを設定したゴルフクラブセット。
【請求項９】
前記ロフト角度θに対する前記振動数の比率Ｙの回帰直線の傾きが０．０００６以下である請求項８に記載のゴルフクラブセット。
【請求項１０】
前記ロフト角度θに対する前記振動数の比率Ｙの回帰直線の傾きが０．０００６以上である請求項８に記載のゴルフクラブセット。
【請求項１１】
前記ゴルフクラブシャフトの後端部を一定位置にて固定した状態で先端部を振動させて測定した単位時間当たりの振動数が、該ゴルフクラブシャフトの後端部を後端から１７８ｍｍの長さで拘束すると共に先端部に先端から３０ｍｍの長さにわたって質量２００ｇの重量体を装着した状態で該先端部を振動させて測定した単位時間当たりの振動数であり、前記ゴルフクラブシャフトの後端部を前記一定位置とは異なった位置にて固定した状態で先端部を振動させて測定した単位時間当たりの振動数が、該ゴルフクラブシャフトの後端部を後端から１２７ｍｍの長さで拘束すると共に先端部に先端から３０ｍｍの長さにわたって質量２００ｇの重量体を装着した状態で該先端部を振動させて測定した単位時間当たりの振動数である請求項１乃至請求項１０のいずれかに記載のゴルフクラブセット。
【請求項１２】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブを構成するゴルフクラブシャフトの先端部を一定位置にて固定した状態で後端部を振動させて測定した単位時間当たりの振動数と、該ゴルフクラブシャフトの先端部を前記一定位置とは異なった位置にて固定した状態で後端部を振動させて測定した単位時間当たりの振動数との比率の大きさを、ゴルフクラブの番手の順序に関連付けて設定したゴルフクラブセット。
【請求項１３】
前記振動数の比率の大きさを、ゴルフクラブの番手の順序に対応して略線形的に変化させた請求項１２に記載のゴルフクラブセット。
【請求項１４】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含み、この群の全てのゴルフクラブをロフト角度が最小の番手から順番に１から始まる連続する自然数Ｘで表し、かつ各ゴルフクラブを構成するゴルフクラブシャフトの先端部を一定位置にて固定した状態で後端部を振動させて測定した単位時間当たりの振動数を分子とし、該ゴルフクラブシャフトの先端部を前記一定位置とは異なる位置にて固定した状態で後端部を振動させて測定した単位時間当たりの振動数を分母とする振動数の比率をＺとしたとき、この群の全てのゴルフクラブについて、前記自然数Ｘに対する前記振動数の比率Ｚの分布を回帰直線で回帰した際、該回帰直線に対する推定誤差が０．００８以下となるように前記振動数の比率Ｚを設定したゴルフクラブセット。
【請求項１５】
前記自然数Ｘに対する前記振動数の比率Ｚの回帰直線の傾きが０．００５２以下である請求項１４に記載のゴルフクラブセット。
【請求項１６】
前記自然数Ｘに対する前記振動数の比率Ｚの回帰直線の傾きが０．００５２以上である請求項１４に記載のゴルフクラブセット。
【請求項１７】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブを構成するゴルフクラブシャフトの先端部を一定位置にて固定した状態で後端部を振動させて測定した単位時間当たりの振動数と、該ゴルフクラブシャフトの先端部を前記一定位置とは異なった位置にて固定した状態で後端部を振動させて測定した単位時間当たりの振動数との比率の大きさを、ロフト角度の大きさの順序に関連付けて設定したゴルフクラブセット。
【請求項１８】
前記振動数の比率の大きさを、ロフト角度の大きさの順序に対応して略線形的に変化させた請求項１７に記載のゴルフクラブセット。
【請求項１９】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含み、この群のゴルフクラブのロフト角度をθ（度）とし、かつ各ゴルフクラブを構成するゴルフクラブシャフトの先端部を一定位置にて固定した状態で後端部を振動させて測定した単位時間当たりの振動数を分子とし、該ゴルフクラブシャフトの先端部を前記一定位置とは異なった位置にて固定した状態で後端部を振動させて測定した単位時間当たりの振動数を分母とする振動数の比率をＺとしたとき、この群の全てのゴルフクラブについて、前記ロフト角度θに対する前記振動数の比率Ｚの分布を回帰直線で回帰した際、該回帰直線に対する推定誤差が０．００８以下となるように前記振動数の比率Ｚを設定したゴルフクラブセット。
【請求項２０】
前記ロフト角度θに対する前記振動数の比率Ｚの回帰直線の傾きが０．００１３以下である請求項１９に記載のゴルフクラブセット。
【請求項２１】
前記ロフト角度θに対する前記振動数の比率Ｚの回帰直線の傾きが０．００１３以上である請求項１９に記載のゴルフクラブセット。
【請求項２２】
前記ゴルフクラブシャフトの先端部を一定位置にて固定した状態で後端部を振動させて測定した単位時間当たりの振動数が、該ゴルフクラブシャフトの先端部を先端から１７８ｍｍの長さで拘束すると共に後端部に後端から３０ｍｍの長さにわたって質量２００ｇの重量体を装着した状態で該後端部を振動させて測定した単位時間当たりの振動数であり、前記ゴルフクラブシャフトの先端部を前記一定位置とは異なった位置にて固定した状態で後端部を振動させて測定した単位時間当たりの振動数が、該ゴルフクラブシャフトの先端部を先端から１２７ｍｍの長さで拘束すると共に後端部に後端から３０ｍｍの長さにわたって質量２００ｇの重量体を装着した状態で該後端部を振動させて測定した単位時間当たりの振動数である請求項１２乃至請求項２１のいずれかに記載のゴルフクラブセット。
【請求項２３】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブの後端部を一定位置にて固定した状態で先端部を振動させて測定した単位時間当たりの振動数と、該ゴルフクラブの後端部を前記一定位置とは異なった位置にて固定した状態で先端部を振動させて測定した単位時間当たりの振動数との比率の大きさを、ゴルフクラブの番手の順序に関連付けて設定したゴルフクラブセット。
【請求項２４】
前記振動数の比率の大きさを、ゴルフクラブの番手の順序に対応して略線形的に変化させた請求項２３に記載のゴルフクラブセット。
【請求項２５】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含み、この群の全てのゴルフクラブをロフト角度が最小の番手から順番に１から始まる連続する自然数Ｘで表し、かつ各ゴルフクラブの後端部を一定位置にて固定した状態で先端部を振動させて測定した単位時間当たりの振動数を分子とし、該ゴルフクラブの後端部を前記一定位置とは異なる位置にて固定した状態で先端部を振動させて測定した単位時間当たりの振動数を分母とする振動数の比率をＹ’としたとき、この群の全てのゴルフクラブについて、前記自然数Ｘに対する前記振動数の比率Ｙ’の分布を回帰直線で回帰した際、該回帰直線に対する推定誤差が０．００５以下となるように前記振動数の比率Ｙ’を設定したゴルフクラブセット。
【請求項２６】
前記自然数Ｘに対する前記振動数の比率Ｙ’の回帰直線の傾きが０．００１２以下である請求項２５に記載のゴルフクラブセット。
【請求項２７】
前記自然数Ｘに対する前記振動数の比率Ｙ’の回帰直線の傾きが０．００１２以上である請求項２５に記載のゴルフクラブセット。
【請求項２８】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブの後端部を一定位置にて固定した状態で先端部を振動させて測定した単位時間当たりの振動数と、該ゴルフクラブの後端部を前記一定位置とは異なった位置にて固定した状態で先端部を振動させて測定した単位時間当たりの振動数との比率の大きさを、ロフト角度の大きさの順序に関連付けて設定したゴルフクラブセット。
【請求項２９】
前記振動数の比率の大きさを、ロフト角度の大きさの順序に対応して略線形的に変化させた請求項２８に記載のゴルフクラブセット。
【請求項３０】
ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含み、この群のゴルフクラブのロフト角度をθ（度）とし、かつ各ゴルフクラブの後端部を一定位置にて固定した状態で先端部を振動させて測定した単位時間当たりの振動数を分子とし、該ゴルフクラブの後端部を前記一定位置とは異なった位置にて固定した状態で先端部を振動させて測定した単位時間当たりの振動数を分母とする振動数の比率をＹ’としたとき、この群の全てのゴルフクラブについて、前記ロフト角度θに対する前記振動数の比率Ｙ’の分布を回帰直線で回帰した際、該回帰直線に対する推定誤差が０．００５以下となるように前記振動数の比率Ｙ’を設定したゴルフクラブセット。
【請求項３１】
前記ロフト角度θに対する前記振動数の比率Ｙ’の回帰直線の傾きが０．０００３以下である請求項３０に記載のゴルフクラブセット。
【請求項３２】
前記ロフト角度θに対する前記振動数の比率Ｙ’の回帰直線の傾きが０．０００３以上である請求項３０に記載のゴルフクラブセット。
【請求項３３】
前記ゴルフクラブの後端部を一定位置にて固定した状態で先端部を振動させて測定した単位時間当たりの振動数が、該ゴルフクラブの後端部を後端から１７８ｍｍの長さで拘束した状態で先端部を振動させて測定した単位時間当たりの振動数であり、前記ゴルフクラブの後端部を前記一定位置とは異なった位置にて固定した状態で先端部を振動させて測定した単位時間当たりの振動数が、該ゴルフクラブの後端部を後端から１２７ｍｍの長さで拘束した状態で先端部を振動させて測定した単位時間当たりの振動数である請求項２３乃至請求項３２のいずれかに記載のゴルフクラブセット。
【請求項３４】
前記ゴルフクラブシャフトが繊維強化樹脂製である請求項１乃至請求項３３のいずれかに記載のゴルフクラブセット。
【発明の詳細な説明】
【技術分野】
【０００１】
本発明は、ロフト角度を種々異ならせた複数本のゴルフクラブを含むゴルフクラブセットに関し、更に詳しくは、ゴルフクラブが呈する打球の高さを番手間で調和させたゴルフクラブセットに関する。
【背景技術】
【０００２】
アイアンゴルフクラブセットは、ロングアイアンからショートアイアンまでの１０本程度のゴルフクラブを具備し、各番手で異なる飛距離が得られるようにクラブ長さやロフト角度を種々異ならせた構成になっている。このようなゴルフクラブセットおいては、ゴルフクラブが呈する打球の高さを番手間で調和させることが望ましい。
【０００３】
ところで、ゴルフクラブの特性を評価する指標として、ゴルフクラブの後端部を固定した状態で先端部を振動させて測定した単位時間当たりの振動数が利用されている（例えば、特許文献１参照）。この振動数は精度が良く再現性が高い評価方法であるが、シャフト全体としての物性を示すだけであり、バット部やチップ部のような特定部位の物性を示すものではないので、この指標ではゴルフクラブが呈する打球の高さを正確に把握することは困難であった。
【０００４】
そのため、従来の指標に基づいてゴルフクラブが呈する打球の高さを番手間で調和させるようにゴルフクラブセットを設計しても、実際にゴルフクラブが呈する打球の高さは番手間で調和していないのが現状である。
【特許文献１】特開平１１−２８７７０２号公報
【発明の開示】
【発明が解決しようとする課題】
【０００５】
本発明の目的は、ゴルフクラブが呈する打球の高さを番手間で調和させたゴルフクラブセットを提供することにある。
【課題を解決するための手段】
【０００６】
上記目的を達成するための本発明のゴルフクラブセットは、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブを構成するゴルフクラブシャフトの後端部を一定位置にて固定した状態で先端部を振動させて測定した単位時間当たりの振動数と、該ゴルフクラブシャフトの後端部を前記一定位置とは異なった位置にて固定した状態で先端部を振動させて測定した単位時間当たりの振動数との比率の大きさを、ゴルフクラブの番手の順序に関連付けて設定し、好ましくはゴルフクラブの番手の順序に対応して略線形的に変化させたことを特徴とするものである。
【０００７】
上記振動数の比率の大きさをゴルフクラブの番手の順序に対応して略線形的に変化させるに際して、本発明では下記の条件を満足することが望ましい。
【０００８】
つまり、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含むものとする。そして、この群の全てのゴルフクラブをロフト角度が最小の番手から順番に１から始まる連続する自然数Ｘで表し、かつ各ゴルフクラブを構成するゴルフクラブシャフトの後端部を一定位置にて固定した状態で先端部を振動させて測定した単位時間当たりの振動数を分子とし、該ゴルフクラブシャフトの後端部を前記一定位置とは異なる位置にて固定した状態で先端部を振動させて測定した単位時間当たりの振動数を分母とする振動数の比率をＹとする。
【０００９】
このとき、上記群の全てのゴルフクラブについて、前記自然数Ｘに対する前記振動数の比率Ｙの分布を回帰直線で回帰した際、該回帰直線に対する推定誤差が０．００５以下となるように前記振動数の比率Ｙを設定するのである。
【００１０】
また、上記目的を達成するための本発明のゴルフクラブセットは、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブを構成するゴルフクラブシャフトの後端部を一定位置にて固定した状態で先端部を振動させて測定した単位時間当たりの振動数と、該ゴルフクラブシャフトの後端部を前記一定位置とは異なった位置にて固定した状態で先端部を振動させて測定した単位時間当たりの振動数との比率の大きさを、ロフト角度の大きさの順序に関連付けて設定し、好ましくはロフト角度の大きさの順序に対応して略線形的に変化させたことを特徴とするものである。
【００１１】
上記振動数の比率の大きさをロフト角度の大きさの順序に対応して略線形的に変化させるに際して、本発明では下記の条件を満足することが望ましい。
【００１２】
つまり、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含むものとする。そして、この群のゴルフクラブのロフト角度をθ（度）とし、かつ各ゴルフクラブを構成するゴルフクラブシャフトの後端部を一定位置にて固定した状態で先端部を振動させて測定した単位時間当たりの振動数を分子とし、該ゴルフクラブシャフトの後端部を前記一定位置とは異なった位置にて固定した状態で先端部を振動させて測定した単位時間当たりの振動数を分母とする振動数の比率をＹとする。
【００１３】
このとき、上記群の全てのゴルフクラブについて、前記ロフト角度θに対する前記振動数の比率Ｙの分布を回帰直線で回帰した際、該回帰直線に対する推定誤差が０．００５以下となるように前記振動数の比率Ｙを設定するのである。
【００１４】
なお、前記ゴルフクラブシャフトの後端部を一定位置にて固定した状態で先端部を振動させて測定した単位時間当たりの振動数は、該ゴルフクラブシャフトの後端部を後端から１７８ｍｍの長さで拘束すると共に先端部に先端から３０ｍｍの長さにわたって質量２００ｇの重量体を装着した状態で該先端部を振動させて測定した単位時間当たりの振動数であり、前記ゴルフクラブシャフトの後端部を前記一定位置とは異なった位置にて固定した状態で先端部を振動させて測定した単位時間当たりの振動数は、該ゴルフクラブシャフトの後端部を後端から１２７ｍｍの長さで拘束すると共に先端部に先端から３０ｍｍの長さにわたって質量２００ｇの重量体を装着した状態で該先端部を振動させて測定した単位時間当たりの振動数であることが望ましい。
【００１５】
また、上記目的を達成するための本発明のゴルフクラブセットは、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブを構成するゴルフクラブシャフトの先端部を一定位置にて固定した状態で後端部を振動させて測定した単位時間当たりの振動数と、該ゴルフクラブシャフトの先端部を前記一定位置とは異なった位置にて固定した状態で後端部を振動させて測定した単位時間当たりの振動数との比率の大きさを、ゴルフクラブの番手の順序に関連付けて設定し、好ましくはゴルフクラブの番手の順序に対応して略線形的に変化させたことを特徴とするものである。
【００１６】
上記振動数の比率の大きさをゴルフクラブの番手の順序に対応して略線形的に変化させるに際して、本発明では下記の条件を満足することが望ましい。
【００１７】
つまり、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含むものとする。そして、この群の全てのゴルフクラブをロフト角度が最小の番手から順番に１から始まる連続する自然数Ｘで表し、かつ各ゴルフクラブを構成するゴルフクラブシャフトの先端部を一定位置にて固定した状態で後端部を振動させて測定した単位時間当たりの振動数を分子とし、該ゴルフクラブシャフトの先端部を前記一定位置とは異なる位置にて固定した状態で後端部を振動させて測定した単位時間当たりの振動数を分母とする振動数の比率をＺとする。
【００１８】
このとき、上記群の全てのゴルフクラブについて、前記自然数Ｘに対する前記振動数の比率Ｚの分布を回帰直線で回帰した際、該回帰直線に対する推定誤差が０．００８以下となるように前記振動数の比率Ｚを設定するのである。
【００１９】
また、上記目的を達成するための本発明のゴルフクラブセットは、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブを構成するゴルフクラブシャフトの先端部を一定位置にて固定した状態で後端部を振動させて測定した単位時間当たりの振動数と、該ゴルフクラブシャフトの先端部を前記一定位置とは異なった位置にて固定した状態で後端部を振動させて測定した単位時間当たりの振動数との比率の大きさを、ロフト角度の大きさの順序に関連付けて設定し、好ましくはロフト角度の大きさの順序に対応して略線形的に変化させたことを特徴とするものである。
【００２０】
上記振動数の比率の大きさをロフト角度の大きさの順序に対応して略線形的に変化させるに際して、本発明では下記の条件を満足することが望ましい。
【００２１】
つまり、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含むものとする。そして、この群のゴルフクラブのロフト角度をθ（度）とし、かつ各ゴルフクラブを構成するゴルフクラブシャフトの先端部を一定位置にて固定した状態で後端部を振動させて測定した単位時間当たりの振動数を分子とし、該ゴルフクラブシャフトの先端部を前記一定位置とは異なった位置にて固定した状態で後端部を振動させて測定した単位時間当たりの振動数を分母とする振動数の比率をＺとする。
【００２２】
このとき、上記群の全てのゴルフクラブについて、前記ロフト角度θに対する前記振動数の比率Ｚの分布を回帰直線で回帰した際、該回帰直線に対する推定誤差が０．００８以下となるように前記振動数の比率Ｚを設定するのである。
【００２３】
なお、前記ゴルフクラブシャフトの先端部を一定位置にて固定した状態で後端部を振動させて測定した単位時間当たりの振動数は、該ゴルフクラブシャフトの先端部を先端から１７８ｍｍの長さで拘束すると共に後端部に後端から３０ｍｍの長さにわたって質量２００ｇの重量体を装着した状態で該後端部を振動させて測定した単位時間当たりの振動数であり、前記ゴルフクラブシャフトの先端部を前記一定位置とは異なった位置にて固定した状態で後端部を振動させて測定した単位時間当たりの振動数は、該ゴルフクラブシャフトの先端部を先端から１２７ｍｍの長さで拘束すると共に後端部に後端から３０ｍｍの長さにわたって質量２００ｇの重量体を装着した状態で該後端部を振動させて測定した単位時間当たりの振動数であることが好ましい。
【００２４】
また、上記目的を達成するための本発明のゴルフクラブセットは、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブの後端部を一定位置にて固定した状態で先端部を振動させて測定した単位時間当たりの振動数と、該ゴルフクラブの後端部を前記一定位置とは異なった位置にて固定した状態で先端部を振動させて測定した単位時間当たりの振動数との比率の大きさを、ゴルフクラブの番手の順序に関連付けて設定し、好ましくはゴルフクラブの番手の順序に対応して略線形的に変化させたことを特徴とするものである。
【００２５】
上記振動数の比率の大きさをゴルフクラブの番手の順序に対応して略線形的に変化させるに際して、本発明では下記の条件を満足することが望ましい。
【００２６】
つまり、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含むものとする。そして、この群の全てのゴルフクラブをロフト角度が最小の番手から順番に１から始まる連続する自然数Ｘで表し、かつ各ゴルフクラブの後端部を一定位置にて固定した状態で先端部を振動させて測定した単位時間当たりの振動数を分子とし、該ゴルフクラブの後端部を前記一定位置とは異なる位置にて固定した状態で先端部を振動させて測定した単位時間当たりの振動数を分母とする振動数の比率をＹ’とする。
【００２７】
このとき、上記群の全てのゴルフクラブについて、前記自然数Ｘに対する前記振動数の比率Ｙ’の分布を回帰直線で回帰した際、該回帰直線に対する推定誤差が０．００５以下となるように前記振動数の比率Ｙ’を設定するのである。
【００２８】
また、上記目的を達成するための本発明のゴルフクラブセットは、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブのうち、少なくとも３本のゴルフクラブについて、各ゴルフクラブの後端部を一定位置にて固定した状態で先端部を振動させて測定した単位時間当たりの振動数と、該ゴルフクラブの後端部を前記一定位置とは異なった位置にて固定した状態で先端部を振動させて測定した単位時間当たりの振動数との比率の大きさを、ロフト角度の大きさの順序に関連付けて設定し、好ましくはロフト角度の大きさの順序に対応して略線形的に変化させたことを特徴とするものである。
【００２９】
上記振動数の比率の大きさをロフト角度の大きさの順序に対応して略線形的に変化させるに際して、本発明では下記の条件を満足することが望ましい。
【００３０】
つまり、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、前記複数本のゴルフクラブは、ロフト角度が１６度以上４１度以下の範囲にある少なくとも３本のゴルフクラブの群を含むものとする。そして、この群のゴルフクラブのロフト角度をθ（度）とし、かつ各ゴルフクラブの後端部を一定位置にて固定した状態で先端部を振動させて測定した単位時間当たりの振動数を分子とし、該ゴルフクラブの後端部を前記一定位置とは異なった位置にて固定した状態で先端部を振動させて測定した単位時間当たりの振動数を分母とする振動数の比率をＹ’とする。
【００３１】
このとき、上記群の全てのゴルフクラブについて、前記ロフト角度θに対する前記振動数の比率Ｙ’の分布を回帰直線で回帰した際、該回帰直線に対する推定誤差が０．００５以下となるように前記振動数の比率Ｙ’を設定するのである。  なお、前記ゴルフクラブの後端部を一定位置にて固定した状態で先端部を振動させて測定した単位時間当たりの振動数は、該ゴルフクラブの後端部を後端から１７８ｍｍの長さで拘束した状態で先端部を振動させて測定した単位時間当たりの振動数であり、前記ゴルフクラブの後端部を前記一定位置とは異なった位置にて固定した状態で先端部を振動させて測定した単位時間当たりの振動数は、該ゴルフクラブの後端部を後端から１２７ｍｍの長さで拘束した状態で先端部を振動させて測定した単位時間当たりの振動数であることが望ましい。
【００３２】
本発明では、ゴルフクラブシャフト又はゴルフクラブの一方の端部を一定位置にて固定した状態で他方の端部を振動させて測定した単位時間当たりの振動数と、該ゴルフクラブシャフト又はゴルフクラブの一方の端部を前記一定位置とは異なった位置にて固定した状態で他方の端部を振動させて測定した単位時間当たりの振動数との比率をゴルフクラブが呈する打球の高さの指標に用いる。この振動数の比率は、ゴルフクラブシャフトの端部の相対的な剛性を正確に数値にて示し、ゴルフクラブが呈する打球の高さをより正確に数値にて示すものである。そのため、振動数の比率が番手の順序又はロフト角度の大きさの順序に対して相関性を持っていれば、ゴルフクラブセット全体を通じて特定のゴルフクラブだけロフト角度通りの打球が得られないというような違和感を回避することができる。
【００３３】
振動数の測定は、ゴルフクラブシャフト単体で測定することが好ましい。ゴルフクラブシャフト単体で振動数を測定し、調整し、その他の部材を適宜調整してゴルフクラブとして組み立てることによって、ゴルフクラブ全体としてより精度を高く調整することが可能であり、ゴルフクラブセット全体を通して調和した打球の高さがより正確に得られる。
【００３４】
ゴルフクラブによる振動数の測定は、グリップを取り除いて行っても良い。特に、ゴルフクラブに柔軟なグリップを装着している場合、グリップを取り除いて測定した方が再現性の高い数値が得られる場合がある。
【００３５】
番手とは、主にロフト角度の異なったゴルフクラブをロフト角度の順番に並べることができるように、各ゴルフクラブに付与した数字、文字、記号等によって表されたロフト角度の順番に関する識別情報の内容であり、各番手のロフト角度は、一定または概ね一定の間隔で当業者によって適宜設定されている。また、番手が大きいとは、ロフト角度が大きい番手を指す。
【発明を実施するための最良の形態】
【００３６】
以下、本発明の構成について添付の図面を参照しながら詳細に説明する。
【００３７】
図１は本発明の実施形態からなるゴルフクラブセットを例示するものであり、ゴルフクラブＡ３〜Ａ９（３番〜９番アイアン）と、ゴルフクラブＰＷ（ピッチングウェッジ）と、ゴルフクラブＳＷ（サンドウェッジ）との９本から構成されている。また、各ゴルフクラブは、ゴルフクラブシャフト１の後端部にグリップ２が装着され、先端部にゴルフクラブヘッド３が取り付けられた構成になっている。
【００３８】
これらゴルフクラブＡ３〜Ａ９，ＰＷ，ＳＷは、番手が大きくなるほどシャフト軸に対するフェース面４のロフト角度θ（度）が大きくなると共にクラブ長さが短くなるように設定されている。即ち、ゴルフクラブＡ３〜Ａ９，ＰＷ，ＳＷは、番手が大きくなるほど打球飛距離が短くなるように設定されている。例えば、ゴルフクラブＡ３〜Ａ９，ＰＷ，ＳＷのロフト角度θは、２０度，２４度，２８度，３２度，３６度，４０度，４４度，４８度，５８度に設定されている。つまり、このゴルフクラブセットはロフト角度θが１６度〜４１度の範囲に含まれるゴルフクラブを３本以上、好ましくは５本以上備えている。
【００３９】
上記ゴルフクラブセットにおいて、特にロフト角度θが１６度〜４１度の範囲に含まれるゴルフクラブについて調和を図ることが必要である。その理由は、これらの範囲内のゴルフクラブには、番手に応じて飛距離を打ち分けられるような調和した性能が要求されるからである。これに対して、ロフト角度θが１６度未満のゴルフクラブは、主にティーアップして打球する条件で使用されるゴルフクラブであって、言わば他のゴルフクラブでのスイングパターンとは関係なく飛距離を追求するゴルフクラブであるので、ゴルフクラブセット内で必ずしも調和させる必要はない。一方、ロフト角度θが４１度を超えるゴルフクラブは、スイング力を加減するコントロールショット又はアプローチショットに使用されることが多く、言わば他のゴルフクラブでのスイングパターンとは関係なくコントロール性を重視するゴルフクラブであるので、ゴルフクラブセット内で必ずしも調和させる必要はない。
【００４０】
上記ロフト角度θは、図２に示すように、ゴルフクラブヘッド３を基準面Ｂ上にライ角度通りに設置し、そのシャフト軸を含み基準面Ｂに直交する平面Ｐを想定し、該平面Ｐに対して直交する目標方向にフェース面４を向けたとき、平面Ｐとフェース面４とがなす角度である。このロフト角度θは、フェース面４のスイートスポットの位置で測定されるものである。スイートスポットはゴルフクラブヘッド３の重心Ｇからフェース面４に下ろした垂線と該フェース面４との交点ｇである。つまり、フェース面４が平面及び曲面のいずれであってもスイートスポットの位置を接点としてロフト角度θが特定される。
【００４１】
ロフト角度θの測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００４２】
このロフト角度θの測定は、ゴルフクラブの状態で測定するほか、ゴルフクラブヘッド単体にシャフトピンを差し込んで測定することも可能である。ゴルフクラブヘッド単体で測定して得られるロフト角度θの数値は、ゴルフクラブの状態で測定して得られるロフト角度θの数値と実質的に同じである。
【００４３】
上記スイートスポットの位置を示すフェース面４上の交点ｇは、図３に示すような重心測定器４１によって求められる。重心測定器４１は、上部に重心測定対象物を支持する支持部４２を備え、この支持部４２が測定対象物を平衡に支持する測定対象物の位置を知ることができるものである。すなわち、重心の測定方法は、図４に示すようにゴルフクラブヘッド３を支持部４２に載せ、手を放しても落ちない平衡な位置を探し出す。つまり、図５（ａ）に示すように、フェース面４と支持部４２の接触部に点ｇを含んでいれば、ゴルフクラブヘッド３を支持部４２に載せて手を放しても落ちないが、図５（ｂ）に示すように、フェース面４と支持部４２の接触部に点ｇを含んでいなければ、ゴルフクラブヘッド３は、支持部４２に載せて手を放すと落ちる。このことを利用して点ｇを求めるものである。
【００４４】
支持部４２は平面または３点以上で支持する形態であることが好ましい。また、支持部４２の面積は、１５ｍｍ2 以下であることが好ましい。また、下限はゴルフクラブヘッド３が支えられる限り特に限定されない。支持部４２の面積は、平面であれば平面部分の面積、３点以上で支持する形態であれば各点を結んだ図形の面積によって示される。支持部４２の面積を上記の範囲に設定することによって、より正確に点ｇを求めることができる。
【００４５】
支持部４２によって支持された平面は水平または概ね水平になることが好ましい。ここで、概ね水平とは、水平面に対する傾きが２度以内、好ましくは１度以内のことである。水平または概ね水平になっているか否かは、例えば図６に示すように、支持部４２に平面板５１を載せて支持させ、平面板５１の上に水準器５２を置き、確認し、調整することができる。上記範囲内に設定することによって、より正確に点ｇを求めることが可能になる。
【００４６】
ここで、ライ角度通りに設置とは、ゴルフクラブヘッド３のソール面のラウンドと基準面とのなす隙間がソール面のトウ側の端部とヒール側の端部にて略等しくなる状態である。ソール面のラウンドが不明瞭な場合は、スコアラインと基準面とが平行な状態によって設定される。ソール面のラウンドが不明瞭でかつスコアラインが直線状でない等、基準面との平行が判別できない場合は、ライ角度（度）＝（１００−クラブ長さ（インチ））にて設定される。例えば、３６インチのクラブ長さであれば、ライ角度は１００−３６＝６４度になる。
【００４７】
クラブ長さは、社団法人日本ゴルフ用品協会が規準とするトラディショナル・スタンダード測定法により測定される。即ち、ゴルフクラブヘッドにおけるソール面とネック部の背部との接点からグリップエンド（キャップの丸みを含まない）までの長さである。測定器としては、株式会社鴨下精衡所製のクラブ・メジャーIIが挙げられる。
【００４８】
上記ゴルフクラブセットにおいて、ロフト角度θが１６度〜４１度の範囲に含まれるゴルフクラブについて、（１）各ゴルフクラブを構成するゴルフクラブシャフト１の後端部を一定位置にて固定した状態で先端部を振動させて測定した単位時間当たりの振動数ｆ１（ｃｐｍ）と、該ゴルフクラブシャフト１の後端部を前記一定位置とは異なった位置にて固定した状態で先端部を振動させて測定した単位時間当たりの振動数ｆ２（ｃｐｍ）との比率の大きさ、（２）各ゴルフクラブを構成するゴルフクラブシャフトの先端部を一定位置にて固定した状態で後端部を振動させて測定した単位時間当たりの振動数ｆ１１（ｃｐｍ）と、該ゴルフクラブシャフトの先端部を前記一定位置とは異なった位置にて固定した状態で後端部を振動させて測定した単位時間当たりの振動数ｆ１２（ｃｐｍ）との比率の大きさ、（３）各ゴルフクラブの後端部を一定位置にて固定した状態で先端部を振動させて測定した単位時間当たりの振動数ｆ２１（ｃｐｍ）と、該ゴルフクラブの後端部を前記一定位置とは異なった位置にて固定した状態で先端部を振動させて測定した単位時間当たりの振動数ｆ２２（ｃｐｍ）との比率の大きさのいずれかは、ゴルフクラブの番手の順序又はロフト角θの大きさの順序に対応して略線形的に変化している。
【００４９】
振動数の比率の大きさを番手間で調整する方法は、特に限定されるものではないが、例えば、シャフト素材の先端部及び後端部のカット長さによる調整が挙げられる。例えば、単体長さが１０００ｍｍのシャフト素材を９６０ｍｍにカットしてゴルフクラブシャフトを形成し、そのゴルフクラブシャフトを用いてゴルフクラブを組み立てる場合、シャフト素材の後端部を４０ｍｍカットしたシャフトと、シャフト素材の先端部を４０ｍｍカットしたゴルフクラブシャフトでは、振動数の比率が相違する。このことを利用して、振動数の比率の大きさを番手間で調整することが可能である。勿論、ゴルフクラブシャフトの設計段階から曲げ剛性の設定等により振動数の比率の大きさを番手間で調整しても良い。
【００５０】
ここで、ゴルフクラブシャフトの振動数の測定方法について説明する。この振動数は、図７〜図１２に示すような振動数測定器１０により測定される。振動数測定器１０は、ゴルフクラブ又はゴルフクラブシャフト１の一端部を固定するチャック部１１と、ゴルフクラブ又はゴルフクラブシャフト１の他端部の振動数を光学センサを用いて計測する計測部１２を備えている。また、チャック部１１の近傍にはゴルフクラブ又はゴルフクラブシャフト１の拘束長さを可変に規定するストッパー１４が設けられている。このような振動数測定器は、市販されている公知のものを利用することができ、例えば、クラブタイミングハーモナイザー（藤倉ゴム工業株式会社製）等が例示される。
【００５１】
上記振動数測定器１０を用いて、図７に示すように、ゴルフクラブシャフト１の後端部を一定位置（例えば、後端から１７８ｍｍの長さ範囲）にてチャック部１１に固定すると共に、ゴルフクラブシャフト１の先端部に重量体１３を装着し、この状態からゴルフクラブシャフト１の先端部を鉛直方向に振動させて１分間当たりのゴルフクラブシャフト１の振動数ｆ１（ｃｐｍ）を測定する。また、図８に示すように、ゴルフクラブシャフト１の後端部を前記一定位置とは異なった位置（例えば、後端から１２７ｍｍの長さ範囲）にてチャック部１１に固定すると共に、ゴルフクラブシャフト１の先端部に重量体１３を装着し、この状態からゴルフクラブシャフト１の先端部を鉛直方向に振動させて１分間当たりのゴルフクラブシャフト１の振動数ｆ２（ｃｐｍ）を測定する。そして、両者の振動数の比率（ｆ１／ｆ２）を求める。このような振動数の比率（ｆ１／ｆ２）を求めることによって、ゴルフクラブが呈する打球の高さを示すゴルフクラブシャフトの撓り特性が得られるのである。
【００５２】
一方、上記振動数測定器１０を用いて、図９に示すように、ゴルフクラブシャフト１の先端部を一定位置（例えば、先端から１７８ｍｍの長さ範囲）にてチャック部１１に固定すると共に、ゴルフクラブシャフト１の後端部に重量体１３を装着し、この状態からゴルフクラブシャフト１の後端部を鉛直方向に振動させて１分間当たりのゴルフクラブシャフト１の振動数ｆ１１（ｃｐｍ）を測定する。また、図１０に示すように、ゴルフクラブシャフト１の先端部を前記一定位置とは異なった位置（例えば、先端から１２７ｍｍの長さ範囲）にてチャック部１１に固定すると共に、ゴルフクラブシャフト１の後端部に重量体１３を装着し、この状態からゴルフクラブシャフト１の後端部を鉛直方向に振動させて１分間当たりのゴルフクラブシャフト１の振動数ｆ１２（ｃｐｍ）を測定する。そして、両者の振動数の比率（ｆ１１／ｆ１２）を求める。このような振動数の比率（ｆ１１／ｆ１２）を求めることによって、ゴルフクラブが呈する打球の高さを示すゴルフクラブシャフトの撓り特性が得られるのである。
【００５３】
更に、上記振動数測定器１０を用いて、図１１に示すように、ゴルフクラブのグリップ２側の後端部を一定位置（例えば、後端から１７８ｍｍの長さ範囲）にてチャック部１１に固定し、この状態からゴルフクラブのゴルフクラブヘッド３側の先端部を鉛直方向に振動させて１分間当たりのゴルフクラブの振動数ｆ２１（ｃｐｍ）を測定する。また、図１２に示すように、ゴルフクラブのグリップ２側の後端部を前記一定位置とは異なった位置（例えば、後端から１２７ｍｍの長さ範囲）にてチャック部１１に固定し、この状態からゴルフクラブのゴルフクラブヘッド３側の先端部を鉛直方向に振動させて１分間当たりのゴルフクラブシャフト１の振動数ｆ２２（ｃｐｍ）を測定する。そして、両者の振動数の比率（ｆ２１／ｆ２２）を求める。このような振動数の比率（ｆ２１／ｆ２２）を求めることによって、ゴルフクラブが呈する打球の高さを示すゴルフクラブシャフトの撓り特性が得られるのである。
【００５４】
本発明における振動数測定において、振動数測定器に固定するゴルフクラブシャフトの周方向の位置は、後端部を固定する場合と先端部を固定する場合で一定又は概ね一定に保つことが好ましい。一定に保つためには、図１３に示すようにゴルフクラブシャフト１に線３１を設けて、例えば、図１４に示すように後端部１０１を一定位置にて固定した場合と、図１５に示すように後端部１０１を前記一定位置とは異なった位置にて固定した場合において、線３１が振動数測定器１０に対して同じ向き又は概ね同じ向きを示すようにすると分かりやすい。前記概ね一定とは、図１４及び図１５に示す線３１が真上を向いた状態に対して、周方向のずれが２０度以内、好ましくは１０度以内、より好ましくは５度以内である。ゴルフクラブシャフトは製品自体のばらつきのため周方向によって振動数の数値に若干のばらつきが生じる可能性があるため、前記したような一定又は概ね一定の周方向によって測定することが好ましい。
【００５５】
前記したように、ゴルフクラブシャフト自体の周方向における振動数の数値にばらつきが若干生じる可能性があることより、同じゴルフクラブシャフトを、図１４、図１５に示すように測定した場合と、図１６、図１７に示すように、図１４、図１５に対してゴルフクラブシャフトをそれぞれ周方向に９０度回転させて固定し測定した場合とでは、振動数の比率が変化する可能性がある。そこでゴルフクラブとして組み立てる際に、ゴルフクラブシャフトの固定位置を一定にすると好ましい。詳しくは、図１４、図１５に示す固定方法にて測定された図１３に示すゴルフクラブシャフトを、図１８に示すように、ゴルフクラブ２１において、ゴルフクラブヘッド３のフェース部１０３を正面にして、水平面１１１にライ角度通りに置いた正面図において、線３１が正面を向くような位置もしくは概ね正面を向くような位置に固定することが好ましい。ゴルフクラブシャフトの測定値をゴルフクラブに反映させるためには、図１９に示す振動数測定器１０にて測定されるゴルフクラブシャフト１の振動する方向と、図２０に示すゴルフクラブ２１が実際のスイング中に主に撓る方向を一致させることが最も好ましいが、そのためには図１４、図１５に示す固定方法にて測定されたゴルフクラブシャフト１を、図１８に示す位置に固定してゴルフクラブ２１として構成すれば良いことが分かる。前記概ね正面を向く位置とは、図１８に示す線３１が真正面を向く位置に対して、周方向のずれが１５度以内、好ましくは１０度以内、より好ましくは５度以内、更に好ましくは３度以内のずれである。
【００５６】
また、ゴルフクラブシャフト単体においても図２１に示すように線３１と同軸上にロゴマーク３２を印刷等の手段によってゴルフクラブシャフト１に設け、図２２に示すように、ゴルフクラブ２１のフェース部１０３を正面にして、水平面１１１にライ角度通りに置いた正面図において、線３１及びロゴマーク３２が正面を向くような位置もしくは概ね正面を向くような位置に固定することが好ましい。また、図２３に示すようにロゴマーク３２をゴルフクラブ２１をトウ側より見た方向に対して正面に設けたい場合は、図２４に示すように、ゴルフクラブシャフトの段階において、線３１とロゴマーク３２が周方向に対して９０度ずれた位置関係になるように設定すれば良い。
【００５７】
以上においては、図１９における振動数測定においてゴルフクラブシャフトの振動する方向と、図２０におけるゴルフクラブが実際のスイング中に主に撓る方向を一致させることが最も好ましいと説明したが、例えば図１４、図１５に示す固定方法にて測定された図１３に示すゴルフクラブシャフトを、図２５に示すように、ゴルフクラブとして組み立てることも考えられる。つまり、ゴルフクラブシャフトの振動する方向と、ゴルフクラブが実際のスイング中に主に撓る方向が９０度ずれているということである。確かにゴルフクラブシャフトの振動する方向と、ゴルフクラブが実際のスイング中に主に撓る方向を一致させることが最も好ましいが、ゴルフクラブシャフトの振動する方向と、ゴルフクラブが実際のスイング中に主に撓る方向にある一定の関係をもって設定することは、一定の関係をもって設定しないことよりも好ましいことである。実際に従来の振動数測定においては、図２６に示すように、ゴルフクラブ２１のトウ部１０４を下側にして固定して測定する場合が多く、その意味から言うと、ゴルフクラブシャフトの振動する方向と、ゴルフクラブが実際のスイング中に主に撓る方向が９０度ずれている例である。
【００５８】
以上に示した振動数測定方向の設定において用いられた線３１は、完成状態であるゴルフクラブにおいて、グリップに隠れてしまっても良いことは言うまでもない。線３１は、振動数測定において目印となればよく、ゴルフクラブの状態においてはデザイン上の都合により、見せるようにしたり隠したりと適宜選択できるものである。
【００５９】
本発明におけるゴルフクラブシャフトの先端部とはゴルフクラブヘッドを装着する端部であり、後端部とはグリップ又はグリップ部を設ける端部である。図２７に示すゴルフクラブにおいては、グリップ２を装着する端部を後端部１０１とし、ゴルフクラブヘッド３を装着する端部を先端部１０２としている。一般のゴルフクラブシャフト１においては、グリップ２を装着する後端部１０１の方がゴルフクラブヘッド３を装着する先端部１０２よりも直径が大きいが、図２８に示すゴルフクラブのように、ゴルフクラブヘッド３を装着する先端部１０２の方がグリップ２を装着する後端部１０１よりも直径が大きいゴルフクラブも考えられる。
【００６０】
また、ゴルフクラブによっては図２９に示すように、ゴルフクラブシャフト１の一部がグリップ部１０５となっているゴルフクラブが存在する。この場合は、グリップ部１０５となる端部を後端部１０１、ゴルフクラブヘッド３を装着する端部を先端部１０２とする。
【００６１】
上記振動数の測定において、ゴルフクラブシャフト１の拘束長さを１７８ｍｍに設定する場合は、１７７．５ｍｍ〜１７８．５ｍｍであれば、実質的に同一の振動数の数値が得られるため本発明に包含され、またゴルフクラブシャフト１の拘束長さを１２７ｍｍに設定する場合は、１２６．５ｍｍ〜１２７．５ｍｍであれば、実質的に同一の振動数の数値が得られるため本発明に包含される。また、重量体１３の質量は２００ｇにするが、１９９．５ｇ〜２００．５ｇであれば、実質的に同一の振動数の数値が得られるため本発明に包含される。更に、重量体１３の装着長さは３０ｍｍにするが、２９．５ｍｍ〜３０．５ｍｍであれば、実質的に同一の振動数の数値が得られるため本発明に包含される。
【００６２】
本発明における拘束長さとは、図３０（ａ）に示すようにゴルフクラブシャフト１の端面１２１がゴルフクラブシャフト軸１２２に対して垂直であれば、端面１２１からチャック部１１のチャック１１ａまでの距離（Ｄａ）となる。また、図３０（ｂ）に示すように端面１２１がゴルフクラブシャフト軸１２２に対して垂直でない場合は、端面１２１の最も張り出している位置からチャック部１１のチャック１１ａまでの距離（Ｄｂ）となる。但し、ゴルフクラブの振動数をグリップ装着状態で測定する場合は、グリップエンド（キャップの丸みを含まない）からチャックまでの距離である。また、固定手段は、上下から挟むことによる固定、ドリルチャックによる固定等、ゴルフクラブシャフトをしっかり固定することが可能な限り特に限定しない。
【００６３】
上記拘束長さは、一定位置にて固定する場合と該一定位置とは異なった位置にて固定する場合の各々について、測定するゴルフクラブセット内で同一の長さ又は概ね同一の長さに設定することが好ましい。前記概ね同一の長さとは、ゴルフクラブセットにおける拘束長さのばらつきが２ｍｍ以内、好ましくは１ｍｍ以内である。一定位置とは異なった位置にて固定する場合の拘束長さは、一定位置にて固定する場合の拘束長さより短くても長くても良いが、一定位置にて固定する場合の拘束長さに比べて２０ｍｍ以上の差があることが好ましく、５０ｍｍ以上の差があることがより好ましい。一定位置にて固定する場合の拘束長さと該一定位置とは異なった位置にて固定する場合の拘束長さとの差の上限は、測定が可能な限り特に限定しないが、ゴルフクラブシャフトの端部の剛性を評価するためには４００ｍｍ以下が好ましい。
【００６４】
重量体は、ゴルフクラブシャフトにしっかり装着することができるもので、形状としては主に円筒形、直方体、多角柱等が挙げられるが特に限定されるものではない。また、鉛テープのような或る程度質量があるような粘着体をゴルフクラブシャフトに巻き付けても良い。重量体の重心位置は、ゴルフクラブシャフト軸近傍にあることが好ましい。数値的には重心位置がゴルフクラブシャフト固定状態において、ゴルフクラブシャフト軸から５ｍｍ以内にあることが好ましい。
【００６５】
重量体の構造は、直径が異なるゴルフクラブシャフトをしっかり固定するために、ドリルチャック等の構造が考えられる。また、他の重量体の例として、図３１に示すように、鉛等からなる重量体テープ６１をゴルフクラブシャフト１の外周に巻き付けて固定することも考えられる。重量体テープの材質は特に限定されるものではないが、ゴルフクラブシャフトにしっかり巻き付け固定できる材質が好ましい。重量体テープの構造は一般的に重量体層と両面テープ等の粘着層との積層構造であり、形状は一般的なテープと同様に幅の変化が少ない長方形状であることが好ましい。長手方向にわたる幅の変化は１ｍｍ以内であることが好ましい。また、図３２（ａ）に示すように、重量体テープ６１の長手方向にわたる最大幅をＤｘとすると、図３２（ｂ）に示すように、端面１２１から幅Ｄｙの範囲内（Ｄｙ≧Ｄｘ）に、Ｄｙ≦Ｄｘ＋５ｍｍ、好ましくはＤｙ≦Ｄｘ＋３ｍｍとなるように全ての鉛テープが巻き付けられることが好ましい。
【００６６】
上記ゴルフクラブセットにおいて、ロフト角度θが１６度〜４１度の範囲に含まれるゴルフクラブをロフト角度が最小の番手から順番に１から始まる連続する自然数Ｘで表し、かつ各ゴルフクラブを構成するゴルフクラブシャフトの後端部を一定位置にて固定した状態で先端部を振動させて測定した単位時間当たりの振動数を分子とし、該ゴルフクラブシャフトの後端部を前記一定位置とは異なる位置にて固定した状態で先端部を振動させて測定した単位時間当たりの振動数を分母とする振動数の比率をＹとしたとき、Ｘ−Ｙ座標上に各ゴルフクラブの自然数Ｘに対応する振動数の比率Ｙをプロットすると、ロフト角度θが１６度〜４１度の範囲に含まれる全てのゴルフクラブについてのプロットが直線又は概ね直線になっている。
【００６７】
図３３は、ゴルフクラブの番手の順序の対応する自然数Ｘと振動数の比率Ｙとの関係を示すグラフであり、Ａは本発明の理想的なゴルフクラブセットにおける関係を示し、Ｂは従来のゴルフクラブセットにおける関係を示している。つまり、従来のゴルフクラブセットでは番手と振動数の比率とが一定の相関性を持たない関係にあったが、本発明の理想的なゴルフクラブセットでは番手と振動数の比率とが一定の相関性を持っているため、ゴルフクラブセット全体を通して調和した打球の高さが得られるのである。
【００６８】
より具体的には、ロフト角度θが１６度〜４１度の範囲に含まれるゴルフクラブについて、自然数Ｘに対する振動数の比率Ｙの分布を回帰直線で回帰した際、該回帰直線に対する推定誤差が０．００５以下となるように振動数の比率Ｙを設定するのである。この推定誤差が０．００５以下とは、ゴルフクラブの番手に応じて定まる自然数Ｘと振動数の比率Ｙを回帰直線の関数に入力して計算される推定値と、振動数の比率Ｙとの誤差が絶対値で０．００５以下、即ち、−０．００５以上＋０．００５以下であることを指す。この場合、推定誤差は、好ましくは０．００３５以下、より好ましくは０．００２以下であることが望ましい。推定誤差を上記範囲内に設定することによって、ゴルフクラブセットにおける打球の高さを番手間で調和させることが可能になる。
【００６９】
自然数Ｘに対する振動数の比率Ｙの回帰直線の傾きは、特に限定されるものではないが、その数値の範囲を限定することによってゴルファーの好みに合わせたゴルフクラブセットを構成することが可能である。
【００７０】
自然数Ｘに対する振動数の比率Ｙの回帰直線の傾きを０．００２４以下、好ましくは０以上０．００２４以下、より好ましくは０．０００４以上０．００２３以下とした場合、ロフト角度θが相対的に小さいゴルフクラブを構成するゴルフクラブシャフトの後端部が撓り易いゴルフクラブセットとなる。このようなゴルフクラブセットは、主に、ロフト角度θが小さいゴルフクラブほどゆっくりとしたスイングの感覚でゴルフクラブシャフトの撓りを利用して飛距離を得ようとするゴルファーに好適である。
【００７１】
自然数Ｘに対する振動数の比率Ｙの回帰直線の傾きを０．００２４以上、好ましくは０．００２４以上０．００４８以下、より好ましくは０．００２５以上０．００４４以下とした場合、ロフト角度θが相対的に小さいゴルフクラブを構成するゴルフクラブシャフトの後端部が撓り難いゴルフクラブセットとなる。このようなゴルフクラブセットは、主に、ロフト角度θが小さいゴルフクラブほど速いスイングの感覚で飛距離を得ようとするゴルファーに好適である。
【００７２】
上記回帰直線の傾きの効果はあくまでも一般的な傾向を示すものである。ゴルファーとゴルフクラブセットとの相性、ゴルファー自体の特性等によっては、たとえロフト角度θが小さいゴルフクラブほどゆっくりとしたスイングの感覚でゴルフクラブシャフトの撓りを利用して飛距離を得ようと考えていても、傾きが０．００２４以上のゴルフクラブセットの方が好適な場合もある。そのため、ゴルファーは、自分の技術レベル、好みのゴルフクラブシャフトの撓り、打球感等を勘案して、必ずしも上記傾向に捕らわれることなく自分にとって好適なゴルフクラブセットを選択することができる。
【００７３】
上記ゴルフクラブセットにおいて、自然数Ｘの替わりにロフト角度θを利用し、θ−Ｙ座標上に各ゴルフクラブのロフト角度θに対応する振動数の比率Ｙをプロットすると、ロフト角度θが１６度〜４１度の範囲に含まれる全てのゴルフクラブについてのプロットが直線又は概ね直線になっている。
【００７４】
図３４は、ロフト角度θと振動数の比率Ｙとの関係を示すグラフであり、Ａは本発明の理想的なゴルフクラブセットにおける関係を示し、Ｂは従来のゴルフクラブセットにおける関係を示している。つまり、従来のゴルフクラブセットではロフト角度と振動数の比率とが一定の相関性を持たない関係にあったが、本発明の理想的なゴルフクラブセットではロフト角度と振動数の比率とが一定の相関性を持っているため、ゴルフクラブセット全体を通して調和した打球の高さが得られるのである。
【００７５】
より具体的には、ロフト角度θが１６度〜４１度の範囲に含まれるゴルフクラブについて、ロフト角度θに対する振動数の比率Ｙの分布を回帰直線で回帰した際、該回帰直線に対する推定誤差が０．００５以下となるように振動数の比率Ｙを設定するのである。この推定誤差が０．００５以下とは、ゴルフクラブのロフト角度θと振動数の比率Ｙを回帰直線の関数に入力して計算される推定値と、振動数の比率Ｙとの誤差が絶対値で０．００５以下、即ち、−０．００５以上＋０．００５以下であることを指す。この場合、推定誤差は、好ましくは０．００３５以下、より好ましくは０．００２以下であることが望ましい。推定誤差を上記範囲内に設定することによって、ゴルフクラブセットにおける打球の高さを番手間で調和させることが可能になる。
【００７６】
ロフト角度θに対する振動数の比率Ｙの回帰直線の傾きは、特に限定されるものではないが、その数値の範囲を限定することによってゴルファーの好みに合わせたゴルフクラブセットを構成することが可能である。
【００７７】
ロフト角度θに対する振動数の比率Ｙの回帰直線の傾きを０．０００６以下、好ましくは０以上０．０００６以下、より好ましくは０．０００１以上０．０００５８以下とした場合、ロフト角度θが相対的に小さいゴルフクラブを構成するゴルフクラブシャフトの後端部が撓り易いゴルフクラブセットとなる。このようなゴルフクラブセットは、主に、ロフト角度θが小さいゴルフクラブほどゆっくりとしたスイングの感覚でゴルフクラブシャフトの撓りを利用して飛距離を得ようとするゴルファーに好適である。
【００７８】
ロフト角度θに対する振動数の比率Ｙの回帰直線の傾きを０．０００６以上、好ましくは０．０００６以上０．００１２以下、より好ましくは０．０００６２以上０．００１１以下とした場合、ロフト角度θが相対的に小さいゴルフクラブを構成するゴルフクラブシャフトの後端部が撓り難いゴルフクラブセットとなる。このようなゴルフクラブセットは、主に、ロフト角度θが小さいゴルフクラブほど速いスイングの感覚で飛距離を得ようとするゴルファーに好適である。
【００７９】
上記回帰直線の傾きの効果はあくまでも一般的な傾向を示すものである。ゴルファーとゴルフクラブセットとの相性、ゴルファー自体の特性等によっては、たとえロフト角度θが小さいゴルフクラブほどゆっくりとしたスイングの感覚でゴルフクラブシャフトの撓りを利用して飛距離を得ようと考えていても、傾きが０．０００６以上のゴルフクラブセットの方が好適な場合もある。そのため、ゴルファーは、自分の技術レベル、好みのゴルフクラブシャフトの撓り、打球感等を勘案して、必ずしも上記傾向に捕らわれることなく自分にとって好適なゴルフクラブセットを選択することができる。
【００８０】
上記ゴルフクラブセットにおいて、ロフト角度θが１６度〜４１度の範囲に含まれるゴルフクラブをロフト角度が最小の番手から順番に１から始まる連続する自然数Ｘで表し、かつ各ゴルフクラブを構成するゴルフクラブシャフトの先端部を一定位置にて固定した状態で後端部を振動させて測定した単位時間当たりの振動数を分子とし、該ゴルフクラブシャフトの先端部を前記一定位置とは異なる位置にて固定した状態で後端部を振動させて測定した単位時間当たりの振動数を分母とする振動数の比率をＺとしたとき、Ｘ−Ｚ座標上に各ゴルフクラブの自然数Ｘに対応する振動数の比率Ｚをプロットすると、ロフト角度θが１６度〜４１度の範囲に含まれる全てのゴルフクラブについてのプロットが直線又は概ね直線になっている。
【００８１】
図３５は、ゴルフクラブの番手の順序の対応する自然数Ｘと振動数の比率Ｚとの関係を示すグラフであり、Ａは本発明の理想的なゴルフクラブセットにおける関係を示し、Ｂは従来のゴルフクラブセットにおける関係を示している。つまり、従来のゴルフクラブセットでは番手と振動数の比率とが一定の相関性を持たない関係にあったが、本発明の理想的なゴルフクラブセットでは番手と振動数の比率とが一定の相関性を持っているため、ゴルフクラブセット全体を通して調和した打球の高さが得られるのである。
【００８２】
より具体的には、ロフト角度θが１６度〜４１度の範囲に含まれるゴルフクラブについて、自然数Ｘに対する振動数の比率Ｚの分布を回帰直線で回帰した際、該回帰直線に対する推定誤差が０．００８以下となるように振動数の比率Ｚを設定するのである。この推定誤差が０．００８以下とは、ゴルフクラブの番手に応じて定まる自然数Ｘと振動数の比率Ｚを回帰直線の関数に入力して計算される推定値と、振動数の比率Ｚとの誤差が絶対値で０．００８以下、即ち、−０．００８以上＋０．００８以下であることを指す。この場合、推定誤差は、好ましくは０．００５以下、より好ましくは０．００３以下であることが望ましい。推定誤差を上記範囲内に設定することによって、ゴルフクラブセットにおける打球の高さを番手間で調和させることが可能になる。
【００８３】
自然数Ｘに対する振動数の比率Ｚの回帰直線の傾きは、特に限定されるものではないが、その数値の範囲を限定することによってゴルファーの好みに合わせたゴルフクラブセットを構成することが可能である。
【００８４】
自然数Ｘに対する振動数の比率Ｚの回帰直線の傾きを０．００５２以下、好ましくは０以上０．００５２以下、より好ましくは０．０００５以上０．００５０以下とした場合、ロフト角度θが相対的に小さいゴルフクラブを構成するゴルフクラブシャフトの先端部が撓り易いゴルフクラブセットとなる。このようなゴルフクラブセットは、主に、ロフト角度θが小さいゴルフクラブほどマイルドな打球感を得たいゴルファーに好適である。
【００８５】
自然数Ｘに対する振動数の比率Ｚの回帰直線の傾きを０．００５２以上、好ましくは０．００５２以上０．０１０４以下、より好ましくは０．００５４以上０．００９９以下とした場合、ロフト角度θが相対的に小さいゴルフクラブを構成するゴルフクラブシャフトの先端部が撓り難いゴルフクラブセットとなる。このようなゴルフクラブセットは、主に、ロフト角度θが小さいゴルフクラブほどソリッドな打球感を得たいゴルファーに好適である。
【００８６】
上記回帰直線の傾きの効果はあくまでも一般的な傾向を示すものである。ゴルファーとゴルフクラブセットとの相性、ゴルファー自体の特性等によっては、たとえロフト角度θが小さいゴルフクラブほどマイルドな打球感を得たいと考えていても、傾きが０．００５２以上のゴルフクラブセットの方が好適な場合もある。そのため、ゴルファーは、自分の技術レベル、好みのゴルフクラブシャフトの撓り、打球感等を勘案して、必ずしも上記傾向に捕らわれることなく自分にとって好適なゴルフクラブセットを選択することができる。
【００８７】
上記ゴルフクラブセットにおいて、自然数Ｘの替わりにロフト角度θを利用し、θ−Ｚ座標上に各ゴルフクラブのロフト角度θに対応する振動数の比率Ｚをプロットすると、ロフト角度θが１６度〜４１度の範囲に含まれる全てのゴルフクラブについてのプロットが直線又は概ね直線になっている。
【００８８】
図３６は、ロフト角度θと振動数の比率Ｚとの関係を示すグラフであり、Ａは本発明の理想的なゴルフクラブセットにおける関係を示し、Ｂは従来のゴルフクラブセットにおける関係を示している。つまり、従来のゴルフクラブセットではロフト角度と振動数の比率とが一定の相関性を持たない関係にあったが、本発明の理想的なゴルフクラブセットではロフト角度と振動数の比率とが一定の相関性を持っているため、ゴルフクラブセット全体を通して調和した打球の高さが得られるのである。
【００８９】
より具体的には、ロフト角度θが１６度〜４１度の範囲に含まれるゴルフクラブについて、ロフト角度θに対する振動数の比率Ｚの分布を回帰直線で回帰した際、該回帰直線に対する推定誤差が０．００８以下となるように振動数の比率Ｚを設定するのである。この推定誤差が０．００８以下とは、ゴルフクラブのロフト角度θと振動数の比率Ｚを回帰直線の関数に入力して計算される推定値と、振動数の比率Ｚとの誤差が絶対値で０．００８以下、即ち、−０．００８以上＋０．００８以下であることを指す。この場合、推定誤差は、好ましくは０．００５５以下、より好ましくは０．００３以下であることが望ましい。推定誤差を上記範囲内に設定することによって、ゴルフクラブセットにおける打球の高さを番手間で調和させることが可能になる。
【００９０】
ロフト角度θに対する振動数の比率Ｚの回帰直線の傾きは、特に限定されるものではないが、その数値の範囲を限定することによってゴルファーの好みに合わせたゴルフクラブセットを構成することが可能である。
【００９１】
ロフト角度θに対する振動数の比率Ｚの回帰直線の傾きを０．００１３以下、好ましくは０以上０．００１３以下、より好ましくは０．０００１２以上０．００１２５以下とした場合、ロフト角度θが相対的に小さいゴルフクラブを構成するゴルフクラブシャフトの先端部が撓り易いゴルフクラブセットとなる。このようなゴルフクラブセットは、主に、ロフト角度θが小さいゴルフクラブほどマイルドな打球感を得たいゴルファーに好適である。
【００９２】
ロフト角度θに対する振動数の比率Ｚの回帰直線の傾きを０．００１３以上、好ましくは０．００１３以上０．００２６以下、より好ましくは０．００１３５以上０．００２４８以下とした場合、ロフト角度θが相対的に小さいゴルフクラブを構成するゴルフクラブシャフトの先端部が撓り難いゴルフクラブセットとなる。このようなゴルフクラブセットは、主に、ロフト角度θが小さいゴルフクラブほどソリッドな打球感を得たいゴルファーに好適である。
【００９３】
上記回帰直線の傾きの効果はあくまでも一般的な傾向を示すものである。ゴルファーとゴルフクラブセットとの相性、ゴルファー自体の特性等によっては、たとえロフト角度θが小さいゴルフクラブほどマイルドな打球感を得たいと考えていても、傾きが０．００１３以上のゴルフクラブセットの方が好適な場合もある。そのため、ゴルファーは、自分の技術レベル、好みのゴルフクラブシャフトの撓り、打球感等を勘案して、必ずしも上記傾向に捕らわれることなく自分にとって好適なゴルフクラブセットを選択することができる。
【００９４】
上記ゴルフクラブセットにおいて、ロフト角度θが１６度〜４１度の範囲に含まれるゴルフクラブをロフト角度が最小の番手から順番に１から始まる連続する自然数Ｘで表し、かつ各ゴルフクラブの後端部を一定位置にて固定した状態で先端部を振動させて測定した単位時間当たりの振動数を分子とし、該ゴルフクラブの後端部を前記一定位置とは異なる位置にて固定した状態で先端部を振動させて測定した単位時間当たりの振動数を分母とする振動数の比率をＹ’としたとき、Ｘ−Ｙ’座標上に各ゴルフクラブの自然数Ｘに対応する振動数の比率Ｙ’をプロットすると、ロフト角度θが１６度〜４１度の範囲に含まれる全てのゴルフクラブについてのプロットが直線又は概ね直線になっている。
【００９５】
図３７は、ゴルフクラブの番手の順序の対応する自然数Ｘと振動数の比率Ｙ’との関係を示すグラフであり、Ａは本発明の理想的なゴルフクラブセットにおける関係を示し、Ｂは従来のゴルフクラブセットにおける関係を示している。つまり、従来のゴルフクラブセットでは番手と振動数の比率とが一定の相関性を持たない関係にあったが、本発明の理想的なゴルフクラブセットでは番手と振動数の比率とが一定の相関性を持っているため、ゴルフクラブセット全体を通して調和した打球の高さが得られるのである。
【００９６】
より具体的には、ロフト角度θが１６度〜４１度の範囲に含まれるゴルフクラブについて、自然数Ｘに対する振動数の比率Ｙ’の分布を回帰直線で回帰した際、該回帰直線に対する推定誤差が０．００５以下となるように振動数の比率Ｙ’を設定するのである。この推定誤差が０．００５以下とは、ゴルフクラブの番手に応じて定まる自然数Ｘと振動数の比率Ｙ’を回帰直線の関数に入力して計算される推定値と、振動数の比率Ｙ’との誤差が絶対値で０．００５以下、即ち、−０．００５以上＋０．００５以下であることを指す。この場合、推定誤差は、好ましくは０．００３５以下、より好ましくは０．００２以下であることが望ましい。推定誤差を上記範囲内に設定することによって、ゴルフクラブセットにおける打球の高さを番手間で調和させることが可能になる。
【００９７】
自然数Ｘに対する振動数の比率Ｙ’の回帰直線の傾きは、特に限定されるものではないが、その数値の範囲を限定することによってゴルファーの好みに合わせたゴルフクラブセットを構成することが可能である。
【００９８】
自然数Ｘに対する振動数の比率Ｙ’の回帰直線の傾きを０．００１２以下、好ましくは０以上０．００１２以下、より好ましくは０．０００２以上０．００１１５以下とした場合、ロフト角度θが相対的に小さいゴルフクラブを構成するゴルフクラブシャフトの後端部が撓り易いゴルフクラブセットとなる。このようなゴルフクラブセットは、主に、ロフト角度θが小さいゴルフクラブほどゆっくりとしたスイングの感覚でゴルフクラブシャフトの撓りを利用して飛距離を得ようとするゴルファーに好適である。
【００９９】
自然数Ｘに対する振動数の比率Ｙ’の回帰直線の傾きを０．００１２以上、好ましくは０．００１２以上０．００２４以下、より好ましくは０．００１２５以上０．００２２以下とした場合、ロフト角度θが相対的に小さいゴルフクラブを構成するゴルフクラブシャフトの後端部が撓り難いゴルフクラブセットとなる。このようなゴルフクラブセットは、主に、ロフト角度θが小さいゴルフクラブほど速いスイングの感覚で飛距離を得ようとするゴルファーに好適である。
【０１００】
上記回帰直線の傾きの効果はあくまでも一般的な傾向を示すものである。ゴルファーとゴルフクラブセットとの相性、ゴルファー自体の特性等によっては、たとえロフト角度θが小さいゴルフクラブほどゆっくりとしたスイングの感覚でゴルフクラブシャフトの撓りを利用して飛距離を得ようと考えていても、傾きが０．００１２以上のゴルフクラブセットの方が好適な場合もある。そのため、ゴルファーは、自分の技術レベル、好みのゴルフクラブシャフトの撓り、打球感等を勘案して、必ずしも上記傾向に捕らわれることなく自分にとって好適なゴルフクラブセットを選択することができる。
【０１０１】
上記ゴルフクラブセットにおいて、自然数Ｘの替わりにロフト角度θを利用し、θ−Ｙ’座標上に各ゴルフクラブのロフト角度θに対応する振動数の比率Ｙ’をプロットすると、ロフト角度θが１６度〜４１度の範囲に含まれる全てのゴルフクラブについてのプロットが直線又は概ね直線になっている。
【０１０２】
図３８は、ロフト角度θと振動数の比率Ｙ’との関係を示すグラフであり、Ａは本発明の理想的なゴルフクラブセットにおける関係を示し、Ｂは従来のゴルフクラブセットにおける関係を示している。つまり、従来のゴルフクラブセットではロフト角度と振動数の比率とが一定の相関性を持たない関係にあったが、本発明の理想的なゴルフクラブセットではロフト角度と振動数の比率とが一定の相関性を持っているため、ゴルフクラブセット全体を通して調和した打球の高さが得られるのである。
【０１０３】
より具体的には、ロフト角度θが１６度〜４１度の範囲に含まれるゴルフクラブについて、ロフト角度θに対する振動数の比率Ｙ’の分布を回帰直線で回帰した際、該回帰直線に対する推定誤差が０．００５以下となるように振動数の比率Ｙ’を設定するのである。この推定誤差が０．００５以下とは、ゴルフクラブのロフト角度θと振動数の比率Ｙ’を回帰直線の関数に入力して計算される推定値と、振動数の比率Ｙ’との誤差が絶対値で０．００５以下、即ち、−０．００５以上＋０．００５以下であることを指す。この場合、推定誤差は、好ましくは０．００３５以下、より好ましくは０．００２以下であることが望ましい。推定誤差を上記範囲内に設定することによって、ゴルフクラブセットにおける打球の高さを番手間で調和させることが可能になる。
【０１０４】
ロフト角度θに対する振動数の比率Ｙ’の回帰直線の傾きは、特に限定されるものではないが、その数値の範囲を限定することによってゴルファーの好みに合わせたゴルフクラブセットを構成することが可能である。
【０１０５】
ロフト角度θに対する振動数の比率Ｙ’の回帰直線の傾きを０．０００３以下、好ましくは０以上０．０００３以下、より好ましくは０．００００５以上０．０００２９以下とした場合、ロフト角度θが相対的に小さいゴルフクラブを構成するゴルフクラブシャフトの後端部が撓り易いゴルフクラブセットとなる。このようなゴルフクラブセットは、主に、ロフト角度θが小さいゴルフクラブほどゆっくりとしたスイングの感覚でゴルフクラブシャフトの撓りを利用して飛距離を得ようとするゴルファーに好適である。
【０１０６】
ロフト角度θに対する振動数の比率Ｙ’の回帰直線の傾きを０．０００３以上、好ましくは０．０００３以上０．０００６以下、より好ましくは０．０００３１以上０．０００５５以下とした場合、ロフト角度θが相対的に小さいゴルフクラブを構成するゴルフクラブシャフトの後端部が撓り難いゴルフクラブセットとなる。このようなゴルフクラブセットは、主に、ロフト角度θが小さいゴルフクラブほど速いスイングの感覚で飛距離を得ようとするゴルファーに好適である。
【０１０７】
上記回帰直線の傾きの効果はあくまでも一般的な傾向を示すものである。ゴルファーとゴルフクラブセットとの相性、ゴルファー自体の特性等によっては、たとえロフト角度θが小さいゴルフクラブほどゆっくりとしたスイングの感覚でゴルフクラブシャフトの撓りを利用して飛距離を得ようと考えていても、傾きが０．０００３以上のゴルフクラブセットの方が好適な場合もある。そのため、ゴルファーは、自分の技術レベル、好みのゴルフクラブシャフトの撓り、打球感等を勘案して、必ずしも上記傾向に捕らわれることなく自分にとって好適なゴルフクラブセットを選択することができる。
【０１０８】
上述した本発明の構成は、特に繊維強化樹脂製のゴルフクラブシャフトを用いたゴルフクラブセットに適用した場合に顕著な作用効果を奏するのである。
【０１０９】
繊維強化樹脂製のゴルフクラブシャフトは、強化繊維の種類、配向方向の選択が自由で、ゴルフクラブシャフトの剛性分布を長手方向に渡って変化させる等設計の自由度が金属製ゴルフクラブシャフトよりも大きい。特に最近では、ゴルフクラブの長さが長くなり、それに伴ってゴルフクラブシャフトの剛性分布の変化がより大きくなっている。そのため、ゴルフクラブシャフトが繊維強化樹脂製である場合、従来の指標に基づいてゴルフクラブが呈する打球の高さを番手間で調和させるようにゴルフクラブセットを設計しても、実際にゴルフクラブが呈する打球の高さを番手間で調和させることは極めて困難であった。
【０１１０】
これに対して本発明では、ゴルフクラブシャフトが繊維強化樹脂製である場合であっても、実際にゴルフクラブが呈する打球の高さを番手間で調和させることが可能になる。
【０１１１】
本発明におけるゴルフクラブセットとは、アイアンゴルフクラブセット、ウッドゴルフクラブセット、ウッドゴルフクラブとアイアンゴルフクラブを含むゴルフクラブセット、ロングアイアンに相当するものだけを含むゴルフクラブセット、ウッドゴルフクラブとアイアンゴルフクラブとの中間的性能を備えるユーティリティクラブを含むゴルフクラブセット、ウッドゴルフクラブやアイアンゴルフクラブに分類することができないゴルフクラブからなるゴルフクラブセット等のようにロフト角度が種々異なる複数本のゴルフクラブによって構成されるものである。
【０１１２】
本発明は、ゴルフクラブが集合したゴルフクラブセットだけではなく、ゴルフクラブの部品であって必然的にゴルフクラブヘッドが装着されるゴルフクラブシャフトが集合したゴルフクラブシャフトセットについても、本発明で規定される要件を満たすものであれば本発明に包含されるものと理解されるべきである。
【実施例】
【０１１３】
ロフト角度を種々異ならせた複数本のゴルフクラブを含むゴルフクラブセットにおいて、ゴルフクラブシャフトの振動特性だけを種々異ならせた実施例１〜８及び比較例１〜２のゴルフクラブセットをそれぞれ製作した。これらゴルフクラブセットにおいて、同一のロフト角度を有するゴルフクラブには同一のゴルフクラブヘッド及びグリップを装着した。クラブ長さは、最も長いゴルフクラブ（＃３）を３９．０インチとし、番手毎に０．５インチずつ短くし、最も短いゴルフクラブ（＃８）を３６．５インチとした。
【０１１４】
表１〜表１０には、それぞれ実施例１〜８及び比較例１〜２のゴルフクラブセットについて、番手、自然数Ｘ、ロフト角度θ（度）、振動数ｆ１（ｃｐｍ）、振動数ｆ２（ｃｐｍ）、振動数の比率Ｙを示した。但し、振動数ｆ１は、ゴルフクラブシャフトの後端部を後端から１７８ｍｍの長さで拘束すると共に先端部に先端から３０ｍｍの長さにわたって質量２００ｇの重量体を装着した状態で該先端部を振動させて測定した単位時間当たりの振動数である。振動数ｆ２は、ゴルフクラブシャフトの後端部を後端から１２７ｍｍの長さで拘束すると共に先端部に先端から３０ｍｍの長さにわたって質量２００ｇの重量体を装着した状態で該先端部を振動させて測定した単位時間当たりの振動数である。振動数の比率Ｙは、振動数ｆ１と振動数ｆ２との比率（ｆ１／ｆ２）である。振動数の測定に際して、藤倉ゴム工業株式会社製のクラブタイミングハーモナイザーにて各例のゴルフクラブシャフトについて１０回ずつ測定し、平均値を求めた。
【０１１５】
【表１】
2006174887.tif 000003
【０１１６】
【表２】
2006174887.tif 000004
【０１１７】
【表３】
2006174887.tif 000005
【０１１８】
【表４】
2006174887.tif 000006
【０１１９】
【表５】
2006174887.tif 000007
【０１２０】
【表６】
2006174887.tif 000008
【０１２１】
【表７】
2006174887.tif 000009
【０１２２】
【表８】
2006174887.tif 000010
【０１２３】
【表９】
2006174887.tif 000011
【０１２４】
【表１０】
2006174887.tif 000012
【０１２５】
表１１には、自然数Ｘに対する振動数の比率Ｙの回帰直線の傾きと、その振動数の比率Ｙと回帰直線との最大推定誤差を示すと共に、ロフト角度θに対する振動数の比率Ｙの回帰直線の傾きと、その振動数の比率Ｙと回帰直線との最大推定誤差を示した。更に、図３９及び図４０には、代表例として、それぞれ実施例５及び比較例２のゴルフクラブセットについて、ロフト角度θに対する振動数の比率Ｙの回帰直線を示した。自然数Ｘに対する振動数の比率Ｙの回帰直線は、同様にして、表５（実施例５）及び表１０（比較例２）の数値に基づいて描くことができる。
【０１２６】
【表１１】
2006174887.tif 000013
【０１２７】
表１１及び図３９〜図４０を参照すると、実施例１〜８のゴルフクラブセットは本発明で規定する条件を満足し、比較例１〜２のゴルフクラブセットは本発明で規定する条件を満足していないことが判る。
【０１２８】
上述した実施例１〜８及び比較例１〜２の各ゴルフクラブについて、スイングロボットによる打球試験を行い、打球の打ち出し角度を測定した。スイングロボットは株式会社ミヤマエ製ショットロボ４、ゴルフボールは横浜ゴム株式会社製ＴＲ−Ｘ  ＰＯＷＥＲ＆ＳＯＦＴを使用し、ヘッドスピードを番手毎に設定して打球し、打球直後の打ち出し角度を測定し、１０回打球した平均値を求めた。スイングロボットのヘッドスピードは、＃３：３５．０ｍ／ｓ、＃４：３４．５ｍ／ｓ、＃５：３４．０ｍ／ｓ、＃６：３３．５ｍ／ｓ、＃７：３３．０ｍ／ｓ、＃８：３２．５ｍ／ｓとした。上記打ち出し角度を表１〜表１０に併せて示した。  そして、実施例１〜８及び比較例１〜２のゴルフクラブセットについて、自然数Ｘに対する打ち出し角度の回帰直線を求め、その回帰直線に対する打ち出し角度の推定誤差の幅を求め、その結果を表１２に示した。推定誤差の幅とは、各例における打ち出し角度と回帰直線との差の最大値と、同様の差の最小値との差である。つまり、回帰直線に対して最も上に外れたデータと、最も下に外れたデータとの幅である。この推定誤差の幅が小さいほど、番手の順序（ロフト角度の大きさの順序）と打球の高さとの間に直線的な相関性があることを意味する。
【０１２９】
【表１２】
2006174887.tif 000014
【０１３０】
この表１２に示すように、実施例１〜８のゴルフクラブセットは比較例１〜２のゴルフクラブセットに比べて推定誤差の幅が小さく、セット全体にわたってロフト角度に応じた打球の高さが得られていることが判る。
【０１３１】
次に、ロフト角度を種々異ならせた複数本のゴルフクラブを含むゴルフクラブセットにおいて、ゴルフクラブシャフトの振動特性だけを種々異ならせた実施例９〜１６及び比較例３〜４のゴルフクラブセットをそれぞれ製作した。これらゴルフクラブセットにおいて、同一のロフト角度を有するゴルフクラブには同一のゴルフクラブヘッド及びグリップを装着した。クラブ長さは、最も長いゴルフクラブ（＃３）を３９．０インチとし、番手毎に０．５インチずつ短くし、最も短いゴルフクラブ（＃８）を３６．５インチとした。
【０１３２】
表１３〜表２２には、それぞれ実施例９〜１６及び比較例３〜４のゴルフクラブセットについて、番手、自然数Ｘ、ロフト角度θ（度）、振動数ｆ１１（ｃｐｍ）、振動数ｆ１２（ｃｐｍ）、振動数の比率Ｚを示した。但し、振動数ｆ１１は、ゴルフクラブシャフトの先端部を先端から１７８ｍｍの長さで拘束すると共に後端部に後端から３０ｍｍの長さにわたって質量２００ｇの重量体を装着した状態で該後端部を振動させて測定した単位時間当たりの振動数である。振動数ｆ１２は、ゴルフクラブシャフトの先端部を先端から１２７ｍｍの長さで拘束すると共に後端部に後端から３０ｍｍの長さにわたって質量２００ｇの重量体を装着した状態で該後端部を振動させて測定した単位時間当たりの振動数である。振動数の比率Ｚは、振動数ｆ１１と振動数ｆ１２との比率（ｆ１１／ｆ１２）である。振動数の測定に際して、藤倉ゴム工業株式会社製のクラブタイミングハーモナイザーにて各例のゴルフクラブシャフトについて１０回ずつ測定し、平均値を求めた。
【０１３３】
【表１３】
2006174887.tif 000015
【０１３４】
【表１４】
2006174887.tif 000016
【０１３５】
【表１５】
2006174887.tif 000017
【０１３６】
【表１６】
2006174887.tif 000018
【０１３７】
【表１７】
2006174887.tif 000019
【０１３８】
【表１８】
2006174887.tif 000020
【０１３９】
【表１９】
2006174887.tif 000021
【０１４０】
【表２０】
2006174887.tif 000022
【０１４１】
【表２１】
2006174887.tif 000023
【０１４２】
【表２２】
2006174887.tif 000024
【０１４３】
表２３には、自然数Ｘに対する振動数の比率Ｚの回帰直線の傾きと、その振動数の比率Ｚと回帰直線との最大推定誤差を示すと共に、ロフト角度θに対する振動数の比率Ｚの回帰直線の傾きと、その振動数の比率Ｚと回帰直線との最大推定誤差を示した。更に、図４１及び図４２には、代表例として、それぞれ実施例１３及び比較例４のゴルフクラブセットについて、ロフト角度θに対する振動数の比率Ｚの回帰直線を示した。自然数Ｘに対する振動数の比率Ｚの回帰直線は、同様にして、表１７（実施例１３）及び表２２（比較例４）の数値に基づいて描くことができる。
【０１４４】
【表２３】
2006174887.tif 000025
【０１４５】
表２３及び図４１〜図４２を参照すると、実施例９〜１６のゴルフクラブセットは本発明で規定する条件を満足し、比較例３〜４のゴルフクラブセットは本発明で規定する条件を満足していないことが判る。
【０１４６】
上述した実施例９〜１６及び比較例３〜４の各ゴルフクラブについて、スイングロボットによる打球試験を行い、打球の打ち出し角度を測定した。スイングロボットは株式会社ミヤマエ製ショットロボ４、ゴルフボールは横浜ゴム株式会社製ＴＲ−Ｘ  ＰＯＷＥＲ＆ＳＯＦＴを使用し、ヘッドスピードを番手毎に設定して打球し、打球直後の打ち出し角度を測定し、１０回打球した平均値を求めた。スイングロボットのヘッドスピードは、＃３：３５．０ｍ／ｓ、＃４：３４．５ｍ／ｓ、＃５：３４．０ｍ／ｓ、＃６：３３．５ｍ／ｓ、＃７：３３．０ｍ／ｓ、＃８：３２．５ｍ／ｓとした。上記打ち出し角度を表１３〜表２２に併せて示した。
【０１４７】
そして、実施例９〜１６及び比較例３〜４のゴルフクラブセットについて、自然数Ｘに対する打ち出し角度の回帰直線を求め、その回帰直線に対する打ち出し角度の推定誤差の幅を求め、その結果を表１４に示した。推定誤差の幅とは、各例における打ち出し角度と回帰直線との差の最大値と、同様の差の最小値との差である。つまり、回帰直線に対して最も上に外れたデータと、最も下に外れたデータとの幅である。この推定誤差の幅が小さいほど、番手の順序（ロフト角度の大きさの順序）と打球の高さとの間に直線的な相関性があることを意味する。
【０１４８】
【表２４】
2006174887.tif 000026
【０１４９】
この表２４に示すように、実施例９〜１６のゴルフクラブセットは比較例３〜４のゴルフクラブセットに比べて推定誤差の幅が小さく、セット全体にわたってロフト角度に応じた打球の高さが得られていることが判る。
【０１５０】
次に、ロフト角度を種々異ならせた複数本のゴルフクラブを含むゴルフクラブセットにおいて、ゴルフクラブシャフトの振動特性だけを種々異ならせた実施例１７〜２４及び比較例５〜６のゴルフクラブセットをそれぞれ製作した。これらゴルフクラブセットにおいて、同一のロフト角度を有するゴルフクラブには同一のゴルフクラブヘッド及びグリップを装着した。クラブ長さは、最も長いゴルフクラブ（＃３）を３９．０インチとし、番手毎に０．５インチずつ短くし、最も短いゴルフクラブ（＃８）を３６．５インチとした。
【０１５１】
表２５〜表３４には、それぞれ実施例１７〜２４及び比較例５〜６のゴルフクラブセットについて、番手、自然数Ｘ、ロフト角度θ（度）、振動数ｆ２１（ｃｐｍ）、振動数ｆ２２（ｃｐｍ）、振動数の比率Ｙ’を示した。但し、振動数ｆ２１は、ゴルフクラブの後端部を後端から１７８ｍｍの長さで拘束した状態で先端部を振動させて測定した単位時間当たりの振動数である。振動数ｆ２２は、ゴルフクラブの後端部を後端から１２７ｍｍの長さで拘束した状態で先端部を振動させて測定した単位時間当たりの振動数である。振動数の比率Ｙ’は、振動数ｆ２１と振動数ｆ２２との比率（ｆ２１／ｆ２２）である。振動数の測定に際して、藤倉ゴム工業株式会社製のクラブタイミングハーモナイザーにて各例のゴルフクラブについて１０回ずつ測定し、平均値を求めた。
【０１５２】
【表２５】
2006174887.tif 000027
【０１５３】
【表２６】
2006174887.tif 000028
【０１５４】
【表２７】
2006174887.tif 000029
【０１５５】
【表２８】
2006174887.tif 000030
【０１５６】
【表２９】
2006174887.tif 000031
【０１５７】
【表３０】
2006174887.tif 000032
【０１５８】
【表３１】
2006174887.tif 000033
【０１５９】
【表３２】
2006174887.tif 000034
【０１６０】
【表３３】
2006174887.tif 000035
【０１６１】
【表３４】
2006174887.tif 000036
【０１６２】
表３５には、自然数Ｘに対する振動数の比率Ｙ’の回帰直線の傾きと、その振動数の比率Ｙ’と回帰直線との最大推定誤差を示すと共に、ロフト角度θに対する振動数の比率Ｙ’の回帰直線の傾きと、その振動数の比率Ｙ’と回帰直線との最大推定誤差を示した。更に、図４３及び図４４には、代表例として、それぞれ実施例２２及び比較例６のゴルフクラブセットについて、ロフト角度θに対する振動数の比率Ｙ’の回帰直線を示した。自然数Ｘに対する振動数の比率Ｙ’の回帰直線は、同様にして、表３０（実施例２２）及び表３４（比較例６）の数値に基づいて描くことができる。
【０１６３】
【表３５】
2006174887.tif 000037
【０１６４】
表３５及び図４３〜図４４を参照すると、実施例１７〜２４のゴルフクラブセットは本発明で規定する条件を満足し、比較例５〜６のゴルフクラブセットは本発明で規定する条件を満足していないことが判る。
【０１６５】
上述した実施例１７〜２４及び比較例５〜６の各ゴルフクラブについて、スイングロボットによる打球試験を行い、打球の打ち出し角度を測定した。スイングロボットは株式会社ミヤマエ製ショットロボ４、ゴルフボールは横浜ゴム株式会社製ＴＲ−Ｘ  ＰＯＷＥＲ＆ＳＯＦＴを使用し、ヘッドスピードを番手毎に設定して打球し、打球直後の打ち出し角度を測定し、１０回打球した平均値を求めた。スイングロボットのヘッドスピードは、＃３：３５．０ｍ／ｓ、＃４：３４．５ｍ／ｓ、＃５：３４．０ｍ／ｓ、＃６：３３．５ｍ／ｓ、＃７：３３．０ｍ／ｓ、＃８：３２．５ｍ／ｓとした。上記打ち出し角度を表２５〜表３４に併せて示した。
【０１６６】
そして、実施例１７〜２４及び比較例５〜６のゴルフクラブセットについて、自然数Ｘに対する打ち出し角度の回帰直線を求め、その回帰直線に対する打ち出し角度の推定誤差の幅を求め、その結果を表３６に示した。推定誤差の幅とは、各例における打ち出し角度と回帰直線との差の最大値と、同様の差の最小値との差である。つまり、回帰直線に対して最も上に外れたデータと、最も下に外れたデータとの幅である。この推定誤差の幅が小さいほど、番手の順序（ロフト角度の大きさの順序）と打球の高さとの間に直線的な相関性があることを意味する。
【０１６７】
【表３６】
2006174887.tif 000038
【０１６８】
この表３６に示すように、実施例１７〜２４のゴルフクラブセットは比較例５〜６のゴルフクラブセットに比べて推定誤差の幅が小さく、セット全体にわたってロフト角度に応じた打球の高さが得られていることが判る。
【０１６９】
以上説明したように本発明によれば、ゴルフクラブシャフトの先端部にゴルフクラブヘッドを装着した複数本のゴルフクラブを備え、これら複数本のゴルフクラブのロフト角度が番手毎に異なるゴルフクラブセットにおいて、複数本のゴルフクラブのうち、少なくとも３本のゴルフクラブについて、固定位置を互いにずらして測定した２種類の振動数の比率の大きさを、ゴルフクラブの番手の順序に関連付けて設定し、好ましくはゴルフクラブの番手の順序に対応して略線形的に変化させたから、ゴルフクラブが呈する打球の高さを番手間で調和させることができる。
【図面の簡単な説明】
【０１７０】
【図１】本発明の実施形態からなるゴルフクラブセットを構成する複数本のアイアンゴルフクラブをそれぞれ一部省略して示す側面図である。
【図２】ロフト角度θを説明するためのゴルクラブヘッドの側面図である。
【図３】ゴルフクラブヘッドの重心測定器を示す斜視図である。
【図４】ゴルフクラブヘッドの重心測定方法を示し、重心測定器にゴルフクラブヘッドを載せた状態の側面図である。
【図５】ゴルフクラブヘッドの重心測定方法を示し、（ａ）はゴルフクラブヘッドを重心測定器に対して平衡となる位置に載せた状態の側面図、（ｂ）はゴルフクラブヘッドを重心測定器に対して平衡とならない位置に載せた状態の側面図である。
【図６】重心測定器の支持部の水平度を確認する方法を示し、水準器を重心測定器に載せた状態の側面図である。
【図７】ゴルフクラブシャフト後端部を一定位置にて固定した状態で振動数を測定する方法を説明するための振動数測定器の側面図である。
【図８】ゴルフクラブシャフト後端部を前記一定位置とは異なる位置にて固定した状態で振動数を測定する方法を説明するための振動数測定器の側面図である。
【図９】ゴルフクラブシャフト先端部を一定位置にて固定した状態で振動数を測定する方法を説明するための振動数測定器の側面図である。
【図１０】ゴルフクラブシャフト先端部を前記一定位置とは異なる位置にて固定した状態で振動数を測定する方法を説明するための振動数測定器の側面図である。
【図１１】ゴルフクラブ後端部を一定位置にて固定した状態で振動数を測定する方法を説明するための振動数測定器の側面図である。
【図１２】ゴルフクラブ後端部を前記一定位置とは異なる位置にて固定した状態で振動数を測定する方法を説明するための振動数測定器の側面図である。
【図１３】標線を付与したゴルフクラブシャフトを示す斜視図である。
【図１４】振動数測定器に図１３のゴルフクラブシャフトの後端部を一定位置にて固定した状態を示す平面図である。
【図１５】振動数測定器に図１３のゴルフクラブシャフトの後端部を前記一定位置とは異なった位置にて固定した状態を示す平面図である。
【図１６】振動数測定器に図１３のゴルフクラブシャフトの後端部を一定位置にて固定した状態を示す側面図である。
【図１７】振動数測定器に図１３のゴルフクラブシャフトの後端部を前記一定位置とは異なった位置にて固定した状態を示す側面図である。
【図１８】図１３のゴルフクラブシャフトを用いたゴルフクラブを示す正面図である。
【図１９】振動数測定器でのシャフト振動方向を示す側面図である。
【図２０】ゴルフクラブのスイング中のシャフトの主に撓る方向を示す側面図である。
【図２１】標線及びロゴマークを同軸上に付与したゴルフクラブシャフトを示す斜視図である。
【図２２】図２１のゴルフクラブシャフトを用いたゴルフクラブを示す正面図である。
【図２３】図２４のゴルフクラブシャフトを用いたゴルフクラブを示すトウ側より見た側面図である。
【図２４】標線及びロゴマークを周方向の異なる位置に付与したゴルフクラブシャフトを示す斜視図である。
【図２５】図１３のゴルフクラブシャフトを用いた他のゴルフクラブを示すトウ側より見た側面図である。
【図２６】従来のゴルフクラブの評価方法において振動数測定器にゴルフクラブの後端部を固定した状態を示す側面図である。
【図２７】本発明においてゴルフクラブシャフトの後端部にグリップを装着したゴルフクラブを例示する正面図である。
【図２８】本発明においてゴルフクラブシャフトの先端部を後端部より太くしたゴルフクラブを例示する正面図である。
【図２９】本発明においてゴルフクラブシャフトの一部がグリップ部を構成するゴルフクラブを例示する正面図である。
【図３０】（ａ），（ｂ）は振動数測定器に対するゴルフクラブシャフトの固定部を示す平面図である。
【図３１】本発明に用いる重量体を例示する斜視図である。
【図３２】図３１の重量体を示し、（ａ）はその展開図、（ｂ）はその平面図である。
【図３３】本発明における自然数Ｘと振動数の比率Ｙとの関係を示すグラフである。
【図３４】本発明におけるロフト角度θと振動数の比率Ｙとの関係を示すグラフである。
【図３５】本発明における自然数Ｘと振動数の比率Ｚとの関係を示すグラフである。
【図３６】本発明におけるロフト角度θと振動数の比率Ｚとの関係を示すグラフである。
【図３７】本発明における自然数Ｘと振動数の比率Ｙ’との関係を示すグラフである。
【図３８】本発明におけるロフト角度θと振動数の比率Ｙ，との関係を示すグラフである。
【図３９】実施例５のゴルフクラブセットについて、ロフト角度θに対する振動数の比率Ｙの回帰直線を示すグラフである。
【図４０】比較例２のゴルフクラブセットについて、ロフト角度θに対する振動数の比率Ｙの回帰直線を示すグラフである。
【図４１】実施例１３のゴルフクラブセットについて、ロフト角度θに対する振動数の比率Ｚの回帰直線を示すグラフである。
【図４２】比較例４のゴルフクラブセットについて、ロフト角度θに対する振動数の比率Ｚの回帰直線を示すグラフである。
【図４３】実施例２２のゴルフクラブセットについて、ロフト角度θに対する振動数の比率Ｙ’の回帰直線を示すグラフである。
【図４４】比較例６のゴルフクラブセットについて、ロフト角度θに対する振動数の比率Ｙ’の回帰直線を示すグラフである。
【符号の説明】
【０１７１】
１  ゴルフクラブシャフト
２  グリップ
３  ゴルフクラブヘッド
４  フェース面
１０  振動数測定器
１１  チャック部
１２  計測部
１３  重量体
θ  ロフト角度
Ａ３〜Ａ９，ＰＷ，ＳＷ  ゴルフクラブ
【図１】
2006174887.tif 000039
【図２】
2006174887.tif 000040
【図３】
2006174887.tif 000041
【図４】
2006174887.tif 000042
【図５】
2006174887.tif 000043
【図６】
2006174887.tif 000044
【図７】
2006174887.tif 000045
【図８】
2006174887.tif 000046
【図９】
2006174887.tif 000047
【図１０】
2006174887.tif 000048
【図１１】
2006174887.tif 000049
【図１２】
2006174887.tif 000050
【図１３】
2006174887.tif 000051
【図１４】
2006174887.tif 000052
【図１５】
2006174887.tif 000053
【図１６】
2006174887.tif 000054
【図１７】
2006174887.tif 000055
【図１８】
2006174887.tif 000056
【図１９】
2006174887.tif 000057
【図２０】
2006174887.tif 000058
【図２１】
2006174887.tif 000059
【図２２】
2006174887.tif 000060
【図２３】
2006174887.tif 000061
【図２４】
2006174887.tif 000062
【図２５】
2006174887.tif 000063
【図２６】
2006174887.tif 000064
【図２７】
2006174887.tif 000065
【図２８】
2006174887.tif 000066
【図２９】
2006174887.tif 000067
【図３０】
2006174887.tif 000068
【図３１】
2006174887.tif 000069
【図３２】
2006174887.tif 000070
【図３３】
2006174887.tif 000071
【図３４】
2006174887.tif 000072
【図３５】
2006174887.tif 000073
【図３６】
2006174887.tif 000074
【図３７】
2006174887.tif 000075
【図３８】
2006174887.tif 000076
【図３９】
2006174887.tif 000077
【図４０】
2006174887.tif 000078
【図４１】
2006174887.tif 000079
【図４２】
2006174887.tif 000080
【図４３】
2006174887.tif 000081
【図４４】
2006174887.tif 000082